【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
透明原稿台に載置された複数の画像を有する透過原稿を、前記透明原稿台とは反対の面から面状照明ユニットにて照明し、前記透明原稿台を介して読取部を第１の駆動手段で走査移動して読取る画像読取装置であって、
前記面状照明ユニットは前記複数の画像のうちの一つの画像領域を包含する大きさの領域を照明する面状の照明領域を有し、
前記透過原稿の複数の画像のうちの一つの画像の読取りの開始から終了までの間は、前記一つの画像の全面を照明する位置で前記面状照明ユニットを静止状態に維持し、前記読取り終了後で前記第１の駆動手段の停止後に、前記透過原稿の複数の画像のうちの他の一つの画像全面を照明する位置まで前記面状照明ユニットを移動させる第２の駆動手段を有することを特徴とする画像読取装置。
【請求項２】
前記画像読取装置は、さらに、前記面状照明ユニットにて前記透過原稿を前記透明原稿台に付勢する付勢手段を有し、
前記第２の駆動手段により前記面状照明ユニットを移動させる場合には、前記付勢手段による付勢を解除する付勢制御手段を有することを特徴とする請求項１に記載の画像読取装置。
【請求項３】
前記画像読取装置は、さらに、前記第１の駆動手段と第２の駆動手段との内一方の駆動手段を選択的に駆動する駆動回路を有することを特徴とする請求項１に記載の画像読取装置。
【請求項４】
前記画像読取装置は、さらに、前記面状照明ユニットと前記透過原稿との間に、前記透過原稿が有する複数の画像を覆う光拡散板を有することを特徴とする請求項１に記載の画像読取装置。
【請求項５】
画像読取装置の透明原稿台に載置された複数の画像を有する透過原稿を、前記透明原稿台とは反対の面から面状照明ユニットにて照明する照明装置において、
前記面状照明ユニットは前記複数の画像のうちの一つの画像領域を包含する大きさの領域を照明する面状の照明領域を有し、
前記画像読取装置による前記透過原稿の複数の画像のうちの一つの画像の読取りの開始から終了までの間は、前記一つの画像の全面を照明する位置で前記面状照明ユニットを静止状態に維持し、前記読取り終了後に、前記透過原稿の複数の画像のうちの他の一つの画像全面を照明する位置まで前記面状照明ユニットを移動させる移動手段を有することを特徴とする照明装置。
【請求項６】
前記面状照明ユニットは、前記移動の方向と垂直な方向に前記透明原稿の画像を複数並べて照明する大きさの照明領域を有することを特徴とする請求項５に記載の照明装置。
【請求項７】
前記照明装置は、さらに、前記面状照明ユニットと前記透過原稿との間に、前記透過原稿が有する複数の画像を覆う光拡散板を有することを特徴とする請求項５に記載の照明装置。
【請求項８】
前記照明装置は、さらに、前記面状照明ユニットにて前記透過原稿を前記透明原稿台に付勢する付勢手段を有し、
前記移動手段により前記面状照明ユニットを移動させる場合には、前記付勢手段による付勢を解除する付勢制御手段を有することを特徴とする請求項５に記載の照明装置。
【請求項９】
前記面状照明ユニットは、前記移動手段の駆動源を搭載することを特徴とする請求項５に記載の照明装置。
【請求項１０】
前記面状照明ユニットは、前記付勢手段の付勢の有無を切換駆動する駆動源を搭載することを特徴とする請求項８に記載の照明装置。
【請求項１１】
前記面状照明ユニットの移動に連動して前記付勢手段が作動することを特徴とする請求項８に記載の照明装置。
【請求項１２】
前記面状照明ユニットは、可視光源と赤外光源を搭載することを特徴とする請求項５に記載の照明装置。
【請求項１３】
前記面状照明ユニットは、３色以上の異なる波長の複数の半導体光源を搭載することを特徴とする請求項５に記載の照明装置。
【請求項１４】
透明原稿台に載置された複数の画像を有する透過原稿を、前記透明原稿台とは反対の面から面状照明ユニットにて照明し、前記透明原稿台を介して読取部を走査移動して読み取る画像読取装置の制御方法であって、
前記透過原稿が有する一つの画像全面を、前記一つの画像領域を包含する照明領域を有する面状照明ユニットが静止状態で照明し、前記読取部を走査移動させて読み取る工程と、
前記読取部の走査移動の停止時に、前記面状照明ユニットを、前記複数の画像のうちの他の一つの画像全面を照明する位置に移動する工程とを有し、
所定数の前記読み取る工程が終了するまで、前記読み取る工程と前記移動する工程を繰り返すことを特徴とする画像読取装置の制御方法。
【請求項１５】
前記所定数は、前記透過原稿が有する画像の数であることを特徴とする請求項１４に記載の画像読取装置の制御方法。
【請求項１６】
前記所定数は、ユーザから読取を指定された画像の数であることを特徴とする請求項１４に記載の画像読取装置の制御方法。
【手続補正２】
【補正対象書類名】明細書
【補正対象項目名】０００７
【補正方法】変更
【補正の内容】
【０００７】
透過原稿の読取り時には、光源Ｌ２は駆動源（図示せず）により、原稿台ガラス１３１をカバーする範囲を、半透明板１３８に平行に、本体の画像走査光学系１３２と同期して走査する。この際本体の光源Ｌ１は消灯している。光源Ｌ２からの光は半透明板１３８中で拡散されて原稿面上に図１１（ｂ）のような配向分布をもたらす（図１１（ｂ）は図１１（ａ）のＤ１を拡大している）。このうち画像読取装置本体の読取位置からイメージセンサ１３６に至る光軸上にある光が、図中Ｐの位置に置かれた原稿を透過してイメージセンサ１３６に導かれる。
【手続補正３】
【補正対象書類名】明細書
【補正対象項目名】００１７
【補正方法】変更
【補正の内容】
【００１７】
〔１〕透明原稿台に載置された複数の画像を有する透過原稿を、前記透明原稿台とは反対の面から面状照明ユニットにて照明し、前記透明原稿台を介して読取部を第１の駆動手段で走査移動して読取る画像読取装置であって、
前記面状照明ユニットは前記複数の画像のうちの一つの画像領域を包含する大きさの領域を照明する面状の照明領域を有し、
前記透過原稿の複数の画像のうちの一つの画像の読取りの開始から終了までの間は、前記一つの画像の全面を照明する位置で前記面状照明ユニットを静止状態に維持し、前記読取り終了後で前記第１の駆動手段の停止後に、前記透過原稿の複数の画像のうちの他の一つの画像全面を照明する位置まで前記面状照明ユニットを移動させる第２の駆動手段を有することを特徴とする画像読取装置。
【手続補正４】
【補正対象書類名】明細書
【補正対象項目名】００１９
【補正方法】変更
【補正の内容】
【００１９】
〔３〕透明原稿台に載置された複数の画像を有する透過原稿を、前記透明原稿台とは反対の面から面状照明ユニットにて照明し、前記透明原稿台を介して読取部を走査移動して読み取る画像読取装置の制御方法であって、
前記透過原稿が有する一つの画像全面を、前記一つの画像領域を包含する照明領域を有する面状照明ユニットが静止状態で照明し、前記読取部を走査移動させて読み取る工程と、前記読取部の走査移動の停止時に、前記面状照明ユニットを、前記複数の画像のうちの他の一つの画像全面を照明する位置に移動する工程とを有し、
所定数の前記読み取る工程が終了するまで、前記読み取る工程と前記移動する工程を繰り返すことを特徴とする画像読取装置の制御方法。